(57)【要約】      （修正有）【課題】小型電動モーターの回転エネルギーを使用して増幅機の役目をする各種の回転体を以って、始動時の回転エネルギーを増大させる。【解決手段】固定架台１０の中央上部に増幅機の役目を果す回転体１を装設し、該回転体の内部外周及び外部の外周にシャフト８を中心とした不均等三角形となる位置に多数の重錘９を装着する。また、該回転体の一方には、入力プーリー４を介して伝動ベルト５を架設し、伝動ベルトは、複数の小型電動モーターのプーリーに架設してある。また、該回転体の他方には、シャフトを介して発電交換器２と蓄電器とを連通した。【選択図】図１
2008121653.tif 000002
【特許請求の範囲】
【請求項１】
エネルギー増幅装置本体（Ａ）は、固定架台（１０）を装設し、該固定架台（１０）には、略中央部分のシャフト（８）に増幅機となる円柱、球体等よりなる回転体（１）を軸止し、該回転体（１）には、内部に不均等三角形に重錘（９）（９）の複数個を配設し、且つ該回転体（１）の一方に入力プーリー（４）を設け、該入力プーリー（４）には、複数の伝動ベルト（５）（５）を架設し、該伝動ベルト（５）（５）には、複数の小型電動モーター（６）（６）のプーリーに架設し、該小型電動モーター（６）（６）の一方には、電流切り替えスイッチ（１１）に連接し、且つ該回転体（１）の他方には、該シャフト（８）に連結部（３）を介して発電交換器（２）を連設すると共に、該発電交換器（２）には、蓄電器（７）に連通した事を特徴とする回転体によるエネルギー増幅装置。
【請求項２】
請求項１における回転体（１）には、外部の外周に不均等三角形の重錘（９）（９）の複数個を配設したことを特徴とする請求項１の回転体によるエネルギー増幅装置。
【請求項３】
請求項１及び２に記載の回転体（１）の内部及び外部に設けた大小異なる大きさの重錘（９）（９）を使用する事を特徴とする請求項１又は２の回転体によるエネルギー増幅装置。
【発明の詳細な説明】
【技術分野】
【０００１】  本発明は、小型電動モーターの回転エネルギーを利用することによる増幅装置であり、円柱、球体等の回転体を介在して、電気エネルギーを発生させ、始動時の回転エネルギーを増幅してエネルギーを発生させる回転体によるエネルギー増幅装置に関するものである。
【背景技術】
【０００２】  従来この種の電気エネルギーを得るためには、化石燃料及び水素、原子力等の発熱をエネルギーを利用するのが普通に実施されている。
また、水力及び風力を利用して電気エネルギーに変換して使用しているか、さらに太陽光発電システムを利用して電気エネルギーを運動エネルギーに変換して利用するもの等が知られている。その他電気エネルギーを得る技術には各種の発電機等がある現状である。
【発明の開示】
【発明が解決しよとうする課題】
【０００３】  上記のように、従来の技術で述べた如く、水力、風力、熱、水素及び光資源等では、広い空間や大規模の設備と、送電装置とが必要となる問題点がある。また、熱資源及び光資源では、多量の原料となるエネルギーが必要であると云う問題点がある。
本発明は、以上の各問題を解決したものであって、その主たる目的とする所は、非常に簡易で小型の設備であると共に、本発明の装置を増設すれば、大型のエネルギーを発生して供給できる事である。また、電気エネルギーの変換に対して、蓄電器を接続すれば、外部のエネルギーを限りなく小さくして多量のエネルギーを得る事ができる。更に、回転体の増幅機の回転軸の位置は３６０度利用でき、且つ、応用の範囲がエネルギーの増幅からエネルギー蓄積までも可能となるものである。
【課題を解決するための手段】
【０００４】  上記目的を達成するために、本発明によれば、エネルギー増幅装置本体は、固定された架台上に載置装設される。該固定架台の中央に設けたシャフトに増幅機となる回転体を軸止する。その回転体には、内部外周と、外部とに不均等三角形に設けた重錘の複数個を装設する。また該回転体の一方に入力プーリーを設け、該入力プーリーに架設された伝動ベルトは、複数の小型電動モーターに架設され、一方の小型電動モーターには、電流の切り替えスイッチを装設してある。また、該回転体の他方には、シャフトを介在して、発電交換器を連設し、発電交換器には、蓄電器を連通したものである。また、該回転体には、内部の外周と、外部の外周とに大小異なる重錘を各々不均等三角形の位置に配設することによって、回転スピードに比例して慣性モーメントを増加し、始動より数倍の回転エネルギーを発生させ、回転エネルギーを外部にエネルギー及び電気エネルギーとして供給する。
【発明の効果】
【０００５】  以上説明したように本発明のエネルギー増幅装置によれば、従来の如く、化石燃料、原子力等の発熱をエネルギーに変換したものと同様に環境を悪化することなく、また、水力、風力及び光資源を利用したもののように広い空間、大規模の設備と送電システムが不要となる優れた効果がある。また、炭酸ガスの発生を皆無とする近未来型のエネルギー変換システムとした効果もある。そして、固定架台の上部に容易に設置して使用できる効果と、中央部分に増幅機の回転体を安定よく装設し、小型電動モーターのエネルギーを利用し、入力プーリーを介在して、増幅した回転エネルギーを連結した増幅機の役目をする回転体で２倍から数倍大きな回転エネルギーを発生する効果がある。また、該入力プーリーに設けた複数の伝動ベルトを架設したので、複数の小型電動モーターのプーリーに容易に架設でき便利な効果もある。更に、回転体の内部及び外部に装設した不均等三角形に重錘を配設したので、回転体に対して外周への遠心力の増加と、円形の重心点の位置をずらし、回転体の慣性モーメントを両方向に増幅すると言う効果がある。
【発明を実施するための最良の形態】
【０００６】  上記のように構成された回転体によるエネルギー増幅装置によれば、小型電動モーター（６）の作動でスタート動力プーリー（１４）の伝動ベルト（５）を介して、回転体（１）のシャフト入力プーリー（４）に伝わり、回転体（１）の回転エネルギーが増幅し、該回転体（１）の回転運動として誘導される。該回転体（１）は、増幅されたエネルギーを受け、回転体（１）自体の構造が慣性モーメント力を増加できる。回転運動と繋がり回転体（１）を最大限利用できる回転数まで引き上げ、最大慣性モーメントを発生し、シャフト（８）に伝わり、連結部（３）を介在して回転運動エネルギーが、発電交換器（２）の回転運動エネルギーとなり、電気エネルギーに変換されて、蓄電器（７）に蓄電されて、電気エネルギーとして外部出力線（１３）に流出する。また、発生した電気エネルギーは、電流切り替えスイッチ（１１）を介して一部を小型電動モーター（６）に供給するように働くものである。
【実施例】
【０００７】  次に、本発明の実施例について説明すると、図１は、１実施例の平面図であって、エネルギー増幅装置本体（Ａ）は、全体を固定架台（１０）の上部に設置される。該固定架台（１０）には、増幅機の役目を果す円柱、球体等よりなる回転体（１）を中央部分に位置させる。該回転体（１）は、中央に設けたシャフト（８）によって回転自在に軸着されている。該回転体（１）の内部及び外部には、重錘（９）（９）を不均等三角形に複数個を配設してある。次に、該シャフト（８）の一方には、入力プーリー（４）を設け、該入力プーリー（４）には、複数の伝動ベルト（５）（５）を架設してある。該伝動ベルト（５）（５）には、複数の小型電動モーター（６）（６）のスタート動力プーリー（１４）に各々架設してある。該小型電動モーター（６）の一方には、電流を自由に調整するために電流切り替えスイッチ（１１）を装設してある。該電流切り替えスイッチ（１１）には、外部入力線（１２）を接続し、一部を該小型電動モーター（６）に供給するようになっている。
また、該回転体（１）の他方には、伝達する該シャフト（８）に接続した連結部（３）を介在して回転運動エネルギーを発電交換器（２）に伝え、電気エネルギーに変換する。該発電交換器（２）は、導電線（１５）を得て蓄電器（７）に送られて蓄電する。該蓄電器（７）より電気エネルギーは、外部に位置する外部出力線（１３）に送電されるものである。また、図２に示すものは、図１に示す状態の側面図であって、固定架台（１０）の上部に整然と配置された状態を示したものである。【０００８】  図３に示す実施例は、エネルギー増幅機である回転体（１）を固定架台（１０）に載置した状態を表わし、該回転体（１）のシャフト（８）に設けた入力プーリー（４）に架設した伝動ベルト（５）（５）を小型電動モーター（６）（６）のスタート動力プーリー（１４）（１４）に掛け渡してある状態を示している。また、該回転体（１）には、内部の内周又は外部の外周に多数の重錘（９）（９）を収納装設する。該重錘（９）（９）は、必要に応じて大小異なる重錘（９）（９）を各々配設して取着することもある。
更に、図４に示すものは、該回転体（１）の内部に重錘（９）（９）の装設部分の位置を示したもので、該回転体（１）の内側に符号１乃至１２迄を記載し、各々の装設位置を示す不均等三角形となる配置の形態を示したものである。この形態を下記に示す。
不均等三角形１、２、３
不均等三角形４、５、６
不均等三角形７、９、１０
不均等三角形８、１０、１２
以上の様に軸心に対して不均等三角形に配置した構成となっている。
【図面の簡単な説明】
【０００９】
【図１】  本発明の装置本体の平面図である。
【図２】  同じく本発明の装置本体の側面図である。
【図３】  本発明の回転体を装設した状態の側面図である。
【図４】  同じく本発明の回転体内部の不均等三角形に各重錘を配置した状態の内部を開示した側面図である。
【符号の説明】
【００１０】１      回転体
２      発電交換器
３      連結部
４      入力プーリー
５      伝動ベルト
６      小型電動モーター
７      蓄電器
８      シャフト
９      重錘
１０    固定架台
１１    電流切り替えスイッチ
１２    外部入力線
１３    外部出力線
１４    スタート動力プーリー
１５    導電線
Ａ      エネルギー増幅装置本体
【図１】
2008121653.tif 000003
【図２】
2008121653.tif 000004
【図３】
2008121653.tif 000005
【図４】
2008121653.tif 000006